【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
記憶手段を有する据置型のドッキングステーションと、
前記ドッキングステーションへの装着およびそのドッキングステーションからの離脱が自在な携帯型の情報端末と、
を備え、
前記ドッキングステーションは、
前記記憶手段で、少なくとも前記情報端末で実行されたアプリケーションプログラムの識別コードとそのアプリケーションプログラムに基づく処理の引継ぎに必要なデータを識別するための引継コードとを書き込み可能な業務履歴テーブル、を有し、
前記情報端末は、
商品の販売に係るデータの入力を受付ける入力手段と、
前記入力手段で受付けたデータを処理する処理手段と、
当該情報端末が前記ドッキングステーションと装着状態にあるとき、前記処理手段の処理を実行するためのアプリケーションプログラムの識別コードとその処理の引継ぎに必要なデータを識別するための引継コードとを前記業務履歴テーブルに書き込む第１制御手段と、
当該情報端末が前記ドッキングステーションに装着されたとき、そのドッキングステーションの前記業務履歴テーブルから前記アプリケーションプログラムの識別コードと前記引継コードとを読込み、前記識別コードで識別される前記アプリケーションプログラムを起動し、前記引継コードで識別されるデータを以後の処理に継続して使用することで前記アプリケーションプログラムに基づく処理を前記処理手段で継続的に実行させる第２制御手段と、
を含む、
ことを特徴とする商品販売データ処理装置。
【請求項２】
前記第１制御手段は、前記処理手段による処理の実行に伴い、その処理を実行するためのアプリケーションプログラムの識別コードとその処理の引継ぎに必要なデータを識別するための引継コードとを前記業務履歴テーブルに逐次書き込む、
ことを特徴とする請求項１記載の商品販売データ処理装置。
【請求項３】
前記第１制御手段は、処理の引継ぎ指定を受けたとき、前記処理手段による実行中の処理を中断し、中断した処理を実行するためのアプリケーションプログラムの識別コードとその処理の再開および継続に必要なデータを識別するための引継コードとを前記業務履歴テーブルに書き込む、
ことを特徴とする請求項１記載の商品販売データ処理装置。
【請求項４】
前記情報端末は、
処理の継続的な実行に際し、その処理がどの情報端末で実行されていたものであるかを示すデータを表示する表示制御手段、
をさらに含むことを特徴とする請求項１乃至請求項３のいずれかに記載の商品販売データ処理装置。
【請求項５】
記憶手段を有するドッキングステーションへの装着およびそのドッキングステーションからの離脱が自在な情報端末であって、
商品の販売に係るデータの入力を受付ける入力手段と、
前記入力手段で受付けたデータを処理する処理手段と、
当該情報端末が前記ドッキングステーションと装着状態にあるとき、前記処理手段の処理を実行するためのアプリケーションプログラムの識別コードとその処理の引継ぎに必要なデータを識別するための引継コードとを前記記憶手段の業務履歴テーブルに書き込む第１制御手段と、
当該情報端末が前記ドッキングステーションに装着されたとき、そのドッキングステーションの前記業務履歴テーブルから前記アプリケーションプログラムの識別コードと前記引継コードとを読込み、前記識別コードで識別される前記アプリケーションプログラムを起動し、前記引継コードで識別されるデータを以後の処理に継続して使用することで前記アプリケーションプログラムに基づく処理を前記処理手段で継続的に実行させる第２制御手段と、
を備えることを特徴とする情報端末。
【請求項６】
記憶手段を有するドッキングステーションへの装着およびそのドッキングステーションからの離脱が自在で、かつコンピュータを備えた情報端末であって、
前記コンピュータを、
商品の販売に係るデータの入力を受付ける入力手段と、
前記入力手段で受付けたデータを処理する処理手段と、
当該情報端末が前記ドッキングステーションと装着状態にあるとき、前記処理手段の処理を実行するためのアプリケーションプログラムの識別コードとその処理の引継ぎに必要なデータを識別するための引継コードとを前記記憶手段の業務履歴テーブルに書き込む第１制御手段と、
当該情報端末が前記ドッキングステーションに装着されたとき、そのドッキングステーションの前記業務履歴テーブルから前記アプリケーションプログラムの識別コードと前記引継コードとを読込み、前記識別コードで識別される前記アプリケーションプログラムを起動し、前記引継コードで識別されるデータを以後の処理に継続して使用することで前記アプリケーションプログラムに基づく処理を前記処理手段で継続的に実行させる第２制御手段と、
して機能させるための制御プログラム。
【手続補正２】
【補正対象書類名】明細書
【補正対象項目名】０００７
【補正方法】変更
【補正の内容】
【０００７】
一実施形態の商品販売データ処理装置は、記憶手段を有する据置型のドッキングステーションと、このドッキングステーションへの装着およびそのドッキングステーションからの離脱が自在な携帯型の情報端末とを備える。ドッキングステーションは、記憶手段で、少なくとも情報端末で実行されたアプリケーションプログラムの識別コードとそのアプリケーションプログラムに基づく処理の引継ぎに必要なデータを識別するための引継コードとを書き込み可能な業務履歴テーブルを有する。情報端末は、商品の販売に係るデータの入力を受付け、受付けたデータを処理するとともに、ドッキングステーションと装着状態にあるとき、処理手段の処理を実行するためのアプリケーションプログラムの識別コードとその処理の引継ぎに必要なデータを識別するための引継コードとを業務履歴テーブルに書き込む。そして、情報端末は、当該情報端末が前記ドッキングステーションに装着されたとき、そのドッキングステーションの業務履歴テーブルからアプリケーションプログラムの識別コードと引継コードとを読込み、識別コードで識別されるアプリケーションプログラムを起動し、引継コードで識別されるデータを以後の処理に継続して使用することでアプリケーションプログラムに基づく処理を継続的に実行する。
【手続補正３】
【補正対象書類名】明細書
【補正対象項目名】００５４
【補正方法】変更
【補正の内容】
【００５４】
ＣＰＵ６１は、この締め処理の内容についても、“引継ぎに必要なデータ”としてドッキングステーション１の補助記憶デバイス４２に保存する（Ａｃｔ９）。この保存により、業務履歴テーブル４２ｂの最終行に、図８に示すように、今回の処理の開始日時“2013年2月22日02時10分32秒”、処理を実行したタブレット端末１０の端末コード“Ｘ４”、業務名“会計”、アプリコード“1001”、引継コード“Z123”、引継前端末“Ｘ５”が入る。
【手続補正４】
【補正対象書類名】明細書
【補正対象項目名】００８０
【補正方法】変更
【補正の内容】
【００８０】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、本願出願の当初の特許請求の範囲に記載された発明を付記する。  
［１］  記憶手段を有する据置型のドッキングステーションと、前記ドッキングステーションへの装着およびそのドッキングステーションからの離脱が自在な携帯型の情報端末と、を備え、前記情報端末は、商品の販売に係るデータの入力を受付ける入力手段と、前記入力手段で受付けたデータを処理する処理手段と、前記処理手段の処理の引継ぎに必要なデータを前記ドッキングステーションの前記記憶手段に記憶する第１制御手段と、当該情報端末が前記ドッキングステーションに装着されたとき、そのドッキングステーションの記憶手段に記憶されているデータに応じた処理を前記処理手段で継続的に実行させる第２制御手段と、を含む、ことを特徴とする商品販売データ処理装置。
［２］前記第１制御手段は、前記処理手段による処理の実行に伴い、その処理の引継ぎに必要なデータを前記ドッキングステーションの前記記憶手段に逐次に記憶する、ことを特徴とする付記［１］記載の商品販売データ処理装置。
［３］前記第１制御手段は、処理の引継ぎ指定を受けたとき、前記処理手段による実行中の処理を中断し、中断した処理の再開および継続に必要なデータを前記ドッキングステーションの前記記憶手段に記憶する、ことを特徴とする付記［１］記載の商品販売データ処理装置。
［４］前記情報端末は、処理の継続的な実行に際し、その処理がどの情報端末で実行されていたものであるかを示すデータを表示する表示制御手段、をさらに含むことを特徴とする付記［１］乃至［４］のいずれかに記載の商品販売データ処理装置。
［５］記憶手段を有するドッキングステーションへの装着およびそのドッキングステーションからの離脱が自在な情報端末であって、商品の販売に係るデータの入力を受付ける入力手段と、前記入力手段で受付けたデータを処理する処理手段と、前記処理手段の処理の引継ぎに必要なデータを前記ドッキングステーションの前記記憶手段に記憶する第１制御手段と、当該情報端末が前記ドッキングステーションに装着されたとき、そのドッキングステーションの記憶手段に記憶されているデータに応じた処理を前記処理手段で継続的に実行させる第２制御手段と、を備えることを特徴とする情報端末。
［６］記憶手段を有するドッキングステーションへの装着およびそのドッキングステーションからの離脱が自在で、かつコンピュータを備えた情報端末であって、前記コンピュータを、商品の販売に係るデータの入力を受付ける入力手段と、前記入力手段で受付けたデータを処理する処理手段と、前記処理手段の処理の引継ぎに必要なデータを前記ドッキングステーションの前記記憶手段に記憶する第１制御手段と、当該情報端末が前記ドッキングステーションに装着されたとき、そのドッキングステーションの記憶手段に記憶されているデータに応じた処理を前記処理手段で継続的に実行させる第２制御手段と、して機能させるための制御プログラム。